(57)【要約】【課題】台間機を利用して遊技台でのゲーム時における音響効果を高めること。【解決手段】ゲームの進行に伴って遊技台４（２）において発生するサウンド信号は、隣接配置されている台間機５（２）の右側スピーカ２１（２）および台間機５（３）の左側スピーカ２２（３）にも供給される。ゲーム時のサウンドは、遊技台４（２）に内蔵のスピーカ４１、４２から発生すると共に、左右の台間機内蔵のスピーカ２１（２）、２２（３）からも発生する。よって、ゲーム時の音響効果を高めることができる。【選択図】      図１
2004209088.tif 000002
【特許請求の範囲】
【請求項１】
遊技台と、
前記遊技台に対する遊技媒体の貸し出し処理を行う台間機と、
前記台間機に搭載した少なくとも１台のスピーカとを有し、
前記遊技台から供給されるサウンド信号に基づき前記スピーカを駆動してサウンドを発生させることを特徴とする遊技ユニット。
【請求項２】
請求項１において、
前記台間機に取り付けた少なくとも一つの表示部を有し、
前記遊技台から供給される駆動信号に基づき前記表示部を駆動することを特徴とする遊技ユニット。
【請求項３】
請求項１または２に記載の遊技ユニットを複数組備え、前記遊技台および前記台間機が交互に配列されている遊技システムであって、
前記遊技台に挟まれている前記台間機は、前記スピーカとして、右側スピーカおよび左側スピーカを備えており、
前記右側スピーカは、前記台間機の右側に隣接配置されている前記遊技台の側に向いており、当該遊技台から供給されるサウンド信号に基づき駆動され、
前記左側スピーカは、前記台間機の左側に隣接配置されている前記遊技台の側に向いており、当該遊技台から供給されるサウンド信号に基づき駆動されることを特徴とする遊技システム。
【請求項４】
請求項１、２または３に記載の前記台間機。
【発明の詳細な説明】
【０００１】
【発明の属する技術分野】
本発明は、ＩＣカードなどを用いてパチンコ玉などの遊技媒体の貸し出しを行う台間機に関し、さらに詳しくは、より臨場感のある音響により遊技を行わせるために、遊技台と連動してサウンドを発生する台間機、当該台間機を備えた遊技ユニットおよび遊技システムに関するものである。
【０００２】
【従来の技術】
パチンコ台やパチスロ台などの遊技台においては、遊技者の視覚や聴覚を通じてゲームに対する興味や興奮を高揚させるようにしている。音響効果によるゲームの臨場感を高める方法としては、例えば下記の特許文献に開示されているように、パチンコ台の複数箇所にスピーカを設置し、多チャンネル化を図ったものがある。
【０００３】
【特許文献】
特開２００１−４６５９４号公報
【０００４】
【発明が解決しようとする課題】
ここで、遊技台に隣接配置されている台間機は、遊技媒体の貸し出しを行うためのものであり、遊技媒体の貸し出し後は遊技媒体が無くなるまでは使用されない。特に、一度大当たりが発生してしまえば、殆ど無用のものとなってしまう。
【０００５】
本発明の課題は、ゲームに対する遊技者の興味や興奮を高揚させるために、台間機を利用して、より臨場感のある音響を発生させることにある。
【０００６】
【課題を解決するための手段】
上記の課題を解決するために、本発明の遊技ユニットは、遊技台と、前記遊技台に対する遊技媒体の貸し出し処理を行う台間機と、前記台間機に搭載した少なくとも一台のスピーカとを有し、前記遊技台から供給されるサウンド信号に基づき前記スピーカを駆動してサウンドを発生させることを特徴としている。
【０００７】
本発明の遊技ユニットでは、遊技台でのゲームの進行に連動させて、台間機のスピーカを駆動して音を発生させることができる。遊技台のスピーカからの音と、台間機のスピーカからの音によって、ステレオ化あるいは多チャンネル化を図ることができるので、音響効果を高めることができる。
【０００８】
ここで、台間機に表示ランプなどの表示部を設け、この表示部を遊技台からの駆動信号に基づき駆動すれば、ゲームの音響効果だけでなく、視覚効果も高めることができる。
【０００９】
次に、本発明は、前記の遊技ユニットを複数組備え、前記遊技台および前記台間機が交互に配列されている遊技システムにおいて、前記遊技台に挟まれている前記台間機に、前記スピーカとして、右側スピーカおよび左側スピーカを搭載し、前記右側スピーカを、前記台間機の右側に隣接配置されている前記遊技台の側に向けると共に、当該遊技台から供給されるサウンド信号に基づき駆動するようにし、他方の前記左側スピーカを、前記台間機の左側に隣接配置されている前記遊技台の側に向けると共に、当該遊技台から供給されるサウンド信号に基づき駆動することを特徴としている。
【００１０】
この構成の遊技システムでは、遊技台から音が発生すると共に、左右の台間機からも音が発生するので、音響効果を高めることができる。また、表示部が備わっている場合には視覚効果も高めることができる。
【００１１】
一方、本発明は台間機に関するものであり、本発明による台間機は、スピーカを備えており、このスピーカが隣接配置されている遊技台からのサウンド信号により駆動されることを特徴としている。本発明の台間機を用いれば、ゲーム時における音響効果を高めることができる。また、遊技台からの駆動信号に基づき駆動される表示部を備えている場合には音響効果に加えて、視覚効果も高めることができる。
【００１２】
【発明の実施の形態】
以下に、図面を参照して、本発明を適用した遊技システムの実施の形態を説明する。
【００１３】
図１は本実施の形態に係る遊技システムの主要部分を示す概略構成図であり、図２はその台間機の部分断面図である。遊技システム１の基本的な構成は一般的なものであり、遊技島２を構成する複数の遊技ユニット３（１）、３（２）、３（３）・・・を有し、各遊技ユニット３（１）、３（２）、３（３）・・・は、パチンコ台やスロット台などの遊技台４（１）、４（２）、４（３）・・・と、各遊技台４（１）、４（２）、４（３）・・・の左側に隣接配置されているプリペイド式の台間機５（１）、５（２）、５（３）・・・とを備えている。また、各遊技島２の台間機５（１）、５（２）、５（３）・・・に対して、島中継器６を介して通信回線７によって接続されている管理コンピュータ８を備えている。
【００１４】
プリペイド式の台間機５（１）、５（２）、５（３）・・・は、幅が狭く上下に長い直方体形状の台間機本体ケース１１を有し、この台間機本体ケース１１の内部には、紙幣識別機１２と、カードリーダライタおよびカード収納部が内蔵されている制御器１３が装着されている。台間機本体ケース１１の前面には、紙幣識別機１２に対応する部位に、上下に延びる紙幣挿入口１４が形成されている。
この紙幣挿入口１４は、一万円、五千円、二千円および千円の各紙幣Ｐを挿入可能である。制御器１３に対峙している台間機本体ケース１１の前面の部位には、その上半部分に、テンキー、液晶表示画面などが配列されている操作部１５が配置され、その下半部分には、プリペイドカードＣの挿入および排出のためのカード挿入口１６が形成されている。
【００１５】
制御器１３は、カード挿入口１６からカードＣが挿入されると、内蔵のカードリーダライタによってカードに記憶されている金額情報を読み取り、操作部１５からの入力に基づき、所定個数の遊技媒体を隣接する遊技台４に貸し出す処理を行う。貸し出し後にはカードＣの金額情報を更新する。また、カードＣが挿入されている状態において、紙幣挿入口１４から紙幣が挿入されると、紙幣識別機１２によりその真偽の判別および金種の判別を行わせる。真札であると判別された場合には、紙幣を台間機５の背面側に設置されている紙幣搬送装置（図示せず）に送り出すと共に、挿入された紙幣に対応する金額が加算された金額となるように、カードの金額情報を更新する。
【００１６】
次に、本例の台間機５（１）、５（２）、５（３）・・には、それぞれ、一対のスピーカ２１（１）および２２（１）、２１（２）および２２（２）、２１（３）および２２（３）・・・が搭載されている。右側スピーカ２１（１）、２１（２）、２１（３）・・・は右側に位置している遊技台４（１）、４（２）、４（３）・・・の側に向いている。図２に示す台間機５（２）の部分断面から分かるように、右側スピーカは正面に向かう方向に対して所定の角度だけ右側に傾斜した方向に向いている。左側スピーカ２２（１）、２２（２）、２２（３）・・・は左側に位置している遊技台４（０）、４（１）、４（２）・・・の側に向いており、本例では右側スピーカ２１（１）、２１（２）、２１（３）・・・と左右対称の状態に配置されている。
【００１７】
ここで、台間機５（２）を例に挙げて説明すると、右側スピーカ２１（２）は右側の遊技台４（２）でのゲームに連動して駆動される。すなわち、遊技台４（２）は音源として一台あるいは複数台のスピーカ、本例では２台のスピーカ４１、４２を備えており、制御ユニット４３（２）の制御の下に、ゲームの進行状況などに応じて所定のサウンドがこれらのスピーカ４１、４２から発生する。制御ユニット４３（２）からこれらのスピーカ４１、４２に供給されるサウンド信号は、制御ユニット４３（２）から台間機５（２）の入力端子２３（２）に入力される。入力端子２３（２）に入力されたサウンド信号は増幅器２４（２）を介して増幅され、右側スピーカ２１（２）を駆動し、サウンドを発生させる。
【００１８】
これに対して、左側スピーカ２２（２）は左側に隣接されている遊技台４（１）でのゲームに連動して駆動される。すなわち、左側の遊技ユニット３（１）を構成している遊技台４（１）の制御ユニット４３（１）からのサウンド信号が、台間機５（１）を経由して、その出力端子２５（１）から台間機５（２）の入力端子２６（２）に供給される。入力端子２６（２）に供給されたサウンド信号は増幅器２７（２）を介して増幅され、当該台間機５（２）の左側スピーカ２２（２）を駆動してサウンドを発生させる。
【００１９】
従って、遊技台４（２）のゲーム進行に伴って発生するサウンドは、この遊技台４（２）に内蔵のスピーカ４１、４２から発生すると同時に、左側の台間機５（２）の右側スピーカ２１（２）から発生すると共に、右側の台間機５（３）の左側スピーカ２２（３）からも発生する。従って、音響効果を高めることができる。
【００２０】
ここで、遊技台においてゲームの進行に連動して発生するサウンドとしては、パチンコ台の場合には、大当たり、再抽選、確率変動確定、リーチ、リーチ予告、入賞時などに発生するものがある。また、スロット機の場合には、ビックボーナスゲーム、レギュラーボーナスゲーム、チャンスゲーム中、ボーナスゲーム確定告知、リーチ目、子役、リプレイなどに発生するものがある。
【００２１】
本例の遊技システム１においては、各遊技台で発生するサウンドと同一のサウンドを、遊技台の左右の台間機のスピーカから発生させるようにしてもよいし、多チャンネル化したサウンドを発生させるようにしてもよい。あるいは、異なるサウンドを発生させるようにしてもよい。
【００２２】
例えば、リーチ予告の場合に発生させるサウンドを、遊技台のスピーカからではなく、台間機のスピーカから発生させるようにすることができる。また、リーチ時の音声をステレオ化（あるいはサラウンド化）させることもできる。この場合には、例えば、遊技台のスピーカから発生するサウンドとは異なる周波数のサウンド、例えば高音、低音のサウンドを両側の台間機側のスピーカに送信して発生させるようにすればよい。
【００２３】
（その他の実施の形態）
上記の遊技システム１では、遊技ユニットの台間機を介してサウンド信号を配信している。例えば、遊技ユニット３（２）では、遊技台４（２）から台間機５（２）を経由して、遊技台４（２）の右側に隣接している遊技ユニット３（３）の台間機５（３）の左側スピーカ２２（３）にサウンド信号を送信している。この代わりに、遊技台４（２）から台間機５（２）の右側スピーカ２１（２）および台間機５（３）の左側スピーカ２２（３）に対して直接にサウンド信号を送信することも可能である。
【００２４】
また、台間機にはその動作状態を表示するための表示ランプが備わっているのが一般的であるので、この表示ランプを遊技台のゲームに連動させて点滅させるようにしてもよい。このようにすれば、音響効果だけでなく、視覚効果も高めることができる。上記の遊技システム１の場合、例えば台間機５（２）の前面の上端に取り付けられている動作状態表示用の表示ランプ３０を遊技台４（２）のゲームに連動させて点滅駆動すればよい。勿論、新たに表示部を台間機の前面に配置することも可能であり、複数の表示部を駆動することも可能である。
【００２５】
一方、上記の遊技システム１では、各台間機５（１）、５（２）、５（３）・・・にそれぞれ一対のスピーカを搭載してある。この代わりに単一のスピーカを搭載することも可能である。この場合には、遊技ユニット３（１）、３（２）、３（３）・・・を構成している遊技台４（１）、４（２）、４（３）・・・のゲームに連動して各遊技ユニットの台間機５（１）、５（２）、５（３）・・・に搭載されているスピーカを駆動すればよい。勿論、３台以上のスピーカを各台間機に搭載することも可能である。
【００２６】
【発明の効果】
以上説明したように、本発明では、台間機にスピーカを搭載し、遊技台のゲームの進行に連動させて台間機のスピーカを駆動してサウンドを発生させるようにしている。従って、ゲームの進行に伴って発生する遊技台からのサウンドをステレオ化あるいは多チャンネル化することができる。よって、ゲーム時の音響効果を高めることができる。
【００２７】
また、本発明において、台間機の表示部もゲームの進行に合わせて駆動するようにした場合には、音響効果に加えて視覚効果も高めることができる。
【図面の簡単な説明】
【図１】本発明を適用した遊技システムの主要部分を示す概略構成図である。
【図２】図１の遊技システムの台間機に搭載したスピーカを示す部分断面図である。
【符号の説明】
１    遊技システム
２    遊技島
３（１）、３（２）、３（３）  遊技ユニット
４（０）、４（１）、４（２）、４（３）  遊技台
５（１）、５（２）、５（３）  台間機
６    島中継器
７    通信回線
８    管理コンピュータ
１１  台間機本体ケース
１２  紙幣識別機
１３  制御器
１４  紙幣挿入口
１５  操作部
１６  カード挿入口
２１（１）、２１（２）、２１（３）  右側スピーカ
２２（１）、２２（２）、２２（３）  左側スピーカ
２３（２）  入力端子
２４（２）  増幅器
２５（１）、２５（２）  出力端子
２６（２）、２６（３）  入力端子
２７（２）、２７（３）  増幅器
３０  表示ランプ
４１、４２  遊技台のスピーカ
４３（１）、４３（２）  遊技台の制御ユニット
Ｐ  紙幣
Ｃ  プリペイドカード
【図１】
2004209088.tif 000003
【図２】
2004209088.tif 000004